【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
治療器具によって解剖学的構造に適用された治療手順の効果をコンピュータ表示画面に表示する方法であって、
該治療器具によって該解剖学的構造に適用される該治療手順の該効果を示す補助画像を生成するステップと、
該補助画像にオーバーレイされた該解剖学的構造の一次画像を、該治療手順時に該コンピュータ表示画面上に表示するステップと
を含む、方法。
【請求項２】
前記治療手順が、医療用ロボットシステムを使用して実行され、前記治療器具が、該治療手順を実行するために、外科医が前記医療用ロボットシステムを使用して、ロボット制御で操作可能である、請求項１に記載の方法。
【請求項３】
前記一次画像が、前記治療手順の前に捕捉される、請求項１に記載の方法。
【請求項４】
前記一次画像が、超音波により生成される術前画像である、請求項３に記載の方法。
【請求項５】
前記一次画像が、磁気共鳴映像法によって生成される術前画像である、請求項３に記載の方法。
【請求項６】
前記一次画像が、ＣＴ断層撮影法によって生成される術前画像である、請求項３に記載の方法。
【請求項７】
前記補助画像が、前記治療手順時に、前記治療器具によって適用される前記治療効果のコンピュータモデルである、請求項３に記載の方法。
【請求項８】
前記コンピュータモデルが、前記治療器具の治療端部の幾何学的形状によって少なくとも部分的に決定される体積形状である、請求項７に記載の方法。
【請求項９】
前記コンピュータモデルが、前記治療器具の治療端部によって前記解剖学的構造に適用される熱レベルによって少なくとも部分的に決定される体積形状である、請求項７に記載の方法。
【請求項１０】
前記コンピュータモデルが、前記治療手順の対象になる前記解剖学的構造の周囲組織の特徴によって少なくとも部分的に決定される体積形状である、請求項７に記載の方法。
【請求項１１】
前記一次画像が、前記治療手順時に捕捉される、請求項１に記載の方法。
【請求項１２】
前記一次画像が、カメラユニットよって捕捉された術中画像である、請求項１１に記載の方法。
【請求項１３】
前記カメラユニットが、カメラの立体写真を含む、請求項１２に記載の方法。
【請求項１４】
前記カメラユニットが内視鏡内に含まれる、請求項１２に記載の方法。
【請求項１５】
前記内視鏡が腹腔鏡である、請求項１４に記載の方法。
【請求項１６】
前記補助画像が、前記治療手順時に、前記治療器具によって適用される前記治療効果のコンピュータモデルである、請求項１１に記載の方法。
【請求項１７】
前記コンピュータモデルが、前記治療器具の治療端部の形状によって少なくとも部分的に決定される体積形状である、請求項１６に記載の方法。
【請求項１８】
前記コンピュータモデルが、前記治療器具の治療端部によって前記解剖学的構造に適用される熱レベルによって少なくとも部分的に決定される体積形状である、請求項１６に記載の方法。
【請求項１９】
前記コンピュータモデルが、前記治療手順の対象である前記解剖学的構造の周囲組織の特徴によって少なくとも部分的に決定される体積形状である、請求項１６に記載の方法。
【請求項２０】
前記補助画像が、超音波によって生成された術中画像である、請求項１１に記載の方法。
【請求項２１】
前記治療手順が、無線周波剥離を使用して前記解剖学的構造の異常組織を破壊する、請求項１に記載の方法。
【請求項２２】
前記異常組織が疾患組織を含む、請求項２１に記載の方法。
【請求項２３】
前記疾患組織が少なくとも１つの腫瘍を含む、請求項２２に記載の方法。
【請求項２４】
前記異常組織が損傷組織を含む、請求項２１に記載の方法。
【請求項２５】
前記治療手順が、無線周波剥離、高密度焦点式超音波、および焼灼から成る群の１つである、請求項２１に記載の方法。
【請求項２６】
解剖学的構造の補助画像の選択部分を該解剖学的構造の一次画像のオーバーレイとしてコンピュータ表示画面上に表示する方法であって、
ポインティングデバイスを使用して、可動ウィンドウを該コンピュータ表示画面上に配置可能であるように、該可動ウィンドウとポインティングデバイスとを関連付けるステップと、
共通参照フレーム内で同じ位置および向きであるように、該解剖学的構造の補助画像と該解剖学的構造の一次画像とを登録するステップと、
該一次画像を該コンピュータ表示画面上に表示し、該可動ウィンドウと同じ該画面座標に対応する、該登録された補助画像の一部分を、該一次画像に対するオーバーレイとして、該可動ウィンドウ内に表示するステップと、
を含む方法。
【請求項２７】
前記一次画像が、医療用ロボットシステムを使用して実行される低侵襲性手術手順時に、画像捕捉デバイスによって捕捉され、該画像捕捉デバイスが、医療処置を実行する際に、該医療用ロボットシステムを使用してロボット制御で操作可能である、請求項２６に記載の方法。
【請求項２８】
前記可動ウィンドウが円形レンズとして前記表示画面上に表示される、請求項２６に記載の方法。
【請求項２９】
前記可動ウィンドウが矩形レンズとして前記表示画面上に表示される、請求項２６に記載の方法。
【請求項３０】
前記一次画像が前記解剖学的構造の三次元画像であり、前記コンピュータ表示画面が三次元コンピュータ表示画面である、請求項２６に記載の方法。
【請求項３１】
前記可動ウィンドウと同じ画面座標に対応する、前記登録された補助画像の全体の部分が前記一次画像に対するオーバーレイとして、該可動ウィンドウ内に表示される、請求項２６に記載の方法。
【請求項３２】
前記可動ウィンドウと同じ画面座標に対応する、前記登録された補助画像の一部分が前記一次画像に対するオーバーレイとして、前記可動ウィンドウ内に適合して表示され、前記補助画像の拡大図として表示されるように拡大される、請求項２６に記載の方法。
【請求項３３】
前記コンピュータ表示画面を見るユーザによって選択された拡大率を受信するステップと、
該拡大率を適用して、前記登録された補助画像の前記一部分が、前記一次画像に対するオーバーレイとして前記可動ウィンドウ内に適合して表示されると決定するステップと、をさらに含む、請求項３２に記載の方法。
【請求項３４】
前記一次画像および補助画像が前記解剖学的構造の三次元画像であり、前記コンピュータ表示画面が三次元コンピュータ表示画面である、請求項２６に記載の方法。
【請求項３５】
前記可動ウィンドウが前記補助画像のユーザが選択可能な深さに関連付けられ、その結果、ユーザが選択した深さに対応する該補助画像の二次元スライスが、前記一次画像に対するオーバーレイとして前記可動ウィンドウ内に表示される、請求項２６に記載の方法。
【請求項３６】
前記一次画像が磁気共鳴映像法によって生成された術前画像である、請求項２６に記載の方法。
【請求項３７】
前記一次画像がＣＴ断層撮影法によって生成された術前画像である、請求項２６に記載の方法。
【請求項３８】
前記一次画像がカメラユニットによって捕捉された術中画像である、請求項２６に記載の方法。
【請求項３９】
前記カメラユニットが内視鏡内に含まれる、請求項３８に記載の方法。
【請求項４０】
前記補助画像が術前の捕捉画像である、請求項３８に記載の方法。
【請求項４１】
前記術前に捕捉される画像が磁気共鳴映像法によって生成される、請求項４０に記載の方法。
【請求項４２】
前記術前に捕捉される画像がＣＴ断層撮影法によって生成される、請求項４０に記載の方法。
【請求項４３】
前記術前に捕捉される画像が超音波によって生成される、請求項４０に記載の方法。
【請求項４４】
前記補助画像が術中に捕捉される画像である、請求項３８に記載の方法。
【請求項４５】
前記術中に捕捉される画像が超音波によって生成される、請求項４４に記載の方法。
【請求項４６】
前記術中に捕捉される画像が第２カメラユニットによって生成される、請求項４４に記載の方法。
【請求項４７】
医療用ロボットシステムであって、
画像を捕捉するための画像捕捉デバイスと、
該画像捕捉デバイスを保持するロボットアームと、
コンピュータ表示画面と、
ユーザが、複数自由度の動作で操作可能であるように構成されたマスター入力デバイスと、
該マスター入力デバイスが画像捕捉モードであるときに、ユーザによる該マスター入力デバイスの操作に応じて、画像捕捉デバイスの動作を制御し、該マスター入力デバイスが画像操作モードであるときに、ユーザによる該マスター入力デバイスの操作に応じて、該コンピュータ表示画面上における、捕捉画像から生成された画像の表示を制御するように構成されるプロセッサと、
を備える、医療用ロボットシステム。
【請求項４８】
前記マスター入力デバイスが６自由度で操作可能であるように構成され、その結果、該マスター入力デバイスが、前記画像操作モードであるときに、三次元マウスとして動作する、請求項４７に記載の医療用ロボットシステム。
【請求項４９】
前記プロセッサが、ユーザが、前記マスター入力デバイスに関連するカーソルが前記生成画像上に表示されている間に制御入力を作動するときに、前記コンピュータ表示画面上に表示される前記生成画像の１つに対して掴み機能を実行し、該ユーザが、前記画像操作モードにあるときに制御入力が起動された状態を維持しつつ、該マスター入力デバイスを移動するときに、該生成画像に対して移動機能を実行するように構成される、請求項４７に記載の医療用ロボットシステム。
【請求項５０】
前記プロセッサが、前記生成画像に対して前記移動機能を実行した状態で、触覚フィードバックを前記マスター入力デバイスに提供するようにさらに構成される、請求項４９に記載の医療用ロボットシステム。
【請求項５１】
前記触覚フィードバックが、仮想質量および慣性特性を前記生成画像に関連付けることによって提供され、その結果、前記プロセッサが、前記画像操作モードにあるときに、ユーザによる前記マスター入力デバイスの操作に応じて、該生成画像に対して掴み機能および移動機能を実行すると、該ユーザが反射力を感知する、請求項５０に記載の医療用ロボットシステム。
【請求項５２】
前記画像捕捉デバイスが補助画像を捕捉し、前記プロセッサが、前記生成画像の１つの少なくとも一部分が前記一次画像上にオーバーレイされた状態で、一次画像捕捉デバイスによって捕捉された一次画像を前記コンピュータ表示画面上に表示させるように構成される、請求項４９に記載の医療用ロボットシステム。
【請求項５３】
前記プロセッサが、ユーザが、前記掴み機能および移動機能を前記生成画像に対して実行することによって、該生成画像の１つと前記一次画像との手動登録を促進し、前記画像操作モードにあるときに、該生成画像および該一次画像の両方が、前記コンピュータ表示画面上に表示されている場合に、該生成画像と該一次画像とを登録するように構成される、請求項５２に記載の医療用ロボットシステム。
【請求項５４】
前記マスター入力デバイスが、ユーザの手によって圧迫され、該マスター入力デバイスが前記画像操作モードにあるときに、制御入力として機能するように構成されたグリッパを有する、請求項４７に記載の医療用ロボットシステム。
【請求項５５】
前記プロセッサが、前記マスター入力デバイスが前記画像操作モードにあるときに、前記グリッパが圧迫され、該グリッパの軸の周囲で回転するとき、前記生成画像に関連するパラメータを調節するように構成される、請求項５４に記載の医療用ロボットシステム。
【請求項５６】
前記調節可能なパラメータが前記生成画像の輝度である、請求項５５に記載の医療用ロボットシステム。
【請求項５７】
前記調節可能なパラメータが前記生成画像の色である、請求項５５に記載の医療用ロボットシステム。
【請求項５８】
前記調節可能なパラメータが、前記生成画像の詳細のレベルである、請求項５５に記載の医療用ロボットシステム。
【請求項５９】
前記生成画像の詳細の前記レベルが、前記生成画像を規定するメッシュ構造の粗さのレベルによって決定される、請求項５８に記載の医療用ロボットシステム。
【請求項６０】
前記生成画像が、前記捕捉された画像から生成された三次元体積であり；前記プロセッサが、該三次元体積および二次元ウィンドウの一方を前記コンピュータ表示画面に表示し、ユーザによる前記マスター入力デバイスの操作に応じて、該コンピュータ表示画面上の前記ウィンドウの位置および向きを操作し、該ウィンドウと該三次元体積との交差によって切断平面を規定し、該三次元体積の二次元スライスを示すようにさらに構成される、請求項４７に記載の医療用ロボットシステム。
【請求項６１】
前記二次元スライスが前記ウィンドウ内に表示される、請求項６０に記載の医療用ロボットシステム。
【請求項６２】
前記二次元スライスが、前記コンピュータ表示画面のピクチャーインピクチャーウィンドウ内に表示される、請求項６０に記載の医療用ロボットシステム。
【請求項６３】
前記プロセッサが、ユーザが選択可能な数の二次元ウィンドウを前記コンピュータ表示画面上に表示し、ユーザによる前記マスター入力デバイスの操作に応じて、該コンピュータ表示画面上の該ウィンドウの位置および向きを個々に操作し、該操作されたウィンドウと前記三次元体積との交差によって切断平面を規定し、前記三次元体積の対応する二次元スライスを示すようにさらに構成される、請求項６０に記載の医療用ロボットシステム。
【請求項６４】
前記二次元スライスが、前記コンピュータ表示画面の対応するピクチャーインピクチャーウィンドウ内に表示される、請求項６３に記載の医療用ロボットシステム。
【請求項６５】
前記プロセッサが、前記コンピュータ表示画面上に表示されたメニューに含まれる項目をユーザが選択したことに応じて、前記二次元ウィンドウを該コンピュータ表示画面上に表示するように構成される、請求項６０に記載の医療用ロボットシステム。
【請求項６６】
前記プロセッサが、前記表示画面上に表示されるアイコンをユーザが選択したことに応じて、前記二次元ウィンドウを前記コンピュータ表示画面上に表示されるように構成される、請求項６０に記載の医療用ロボットシステム。
【請求項６７】
前記アイコンが、前記コンピュータ表示画面の周囲領域に表示され、前記プロセッサが、ユーザが前記アイコンをクリックし、ユーザが該アイコンを選択したときの周囲領域から離れるように該アイコンをドラッグするというユーザによるマウスタイプの動作を解釈するようにさらに構成される、請求項６６に記載の医療用ロボットシステム。
【請求項６８】
前記画像捕捉デバイスが超音波プローブであり、前記生成画像が、該超音波プローブによって捕捉された二次元超音波スライスからコンピュータで生成された解剖学的構造の三次元超音波画像である、請求項６７に記載の医療用ロボットシステム。
【請求項６９】
前記プロセッサが、前記生成画像およびイレーザ画像の一方を前記コンピュータ表示画面上に表示し、ユーザが、前記マスター入力デバイスを操作したことに応じて、該イレーザ画像の少なくとも位置を操作し、該イレーザ画像が該コンピュータ表示画面上で操作されるときに、該イレーザ画像が横断する該コンピュータ表示画面上に表示される前記生成画像の１つの任意の部分を消去するようにさらに構成される、請求項４７に記載の医療用ロボットシステム。
【請求項７０】
前記プロセッサが、前記イレーザ画像が横断する前記生成画像の部分のすべての詳細を消去するように構成される、請求項６９に記載の医療用ロボットシステム。
【請求項７１】
前記プロセッサが、前記イレーザ画像が横断する前記生成画像の部分の前記詳細を減少させるように構成される、請求項６９に記載の医療用ロボットシステム。
【請求項７２】
前記イレーザ画像が横断する前記生成画像の部分の前記詳細の前記減少が、前記生成画像を規定するメッシュ構造の細かさを減少させることを含む、請求項７１に記載の医療用ロボットシステム。